(57)【特許請求の範囲】
【請求項１】
内視鏡観察画像の映像信号の処理を行うための電子機器を遠隔操作するリモートコントロール釦が突設された電子内視鏡の操作部において、
上記操作部から外方に突出して設けられたシリンダ体を外側から水密に覆うゴムカバーが上記シリンダ体の外周面にライニング成形されて、
上記ゴムカバーがライニングされている上記リモートコントロール釦の上記操作部表面からの立ち上がり部が、上記リモートコントロール釦の外表面と上記操作部の外表面とを滑らかに連続させるアール形状に全周にわたって形成され、
上記シリンダ体内にピストン体が軸線方向に進退自在に嵌挿配置されると共に、上記ピストン体が上記シリンダ体内から外方に抜け出さず、且つ上記シリンダ体に上記ゴムカバーがライニング加工される際に溶解状態のゴムが上記シリンダ体内の上記ピストン体との摺接面内に流れ込まないようにするための段部が、上記シリンダ体の突端側内周面に形成されていることを特徴とする電子内視鏡の操作部。
【発明の詳細な説明】
【０００１】
【発明の属する技術分野】
この発明は電子内視鏡の操作部に関する。
【０００２】
【従来の技術】
電子内視鏡においては一般に、挿入部の先端で撮像された観察画像をモニタ画面に単に表示するだけでなく、観察画像をモニタ画面上で一時的に静止（フリーズ）させたり、観察画像の一駒撮影や動画記録等を行うことができるようになっており、そのような処理を行うための外部電子機器を遠隔操作するためのリモートコントロール釦が操作部に突設されている。
【０００３】
図４は、そのような従来のリモートコントロール釦９０を示しており、スイッチ９１をオン／オフ操作するためのピストン体９２が軸線方向に可動にシリンダ体９３内に収容されていて、それらの外面がシリンダ体９３の外周面にライニング成形された弾力性のあるゴムカバー９４により水密に被覆されている。１ａは操作部の外壁である。
【０００４】
【発明が解決しようとする課題】
しかし、上述のような従来のリモートコントロール釦９０においては、操作部外壁１ａに形成された取付孔６内にゴムカバー９４の基端縁が嵌め込まれているので、その立ち上がり部Ａの角部分に汚物等が溜まりやすく、汚物が一度こびり付いたりすると完全に洗浄するのが容易ではない。
【０００５】
しかも、そのようなリモートコントロール釦９０は一般に操作部に３〜４個程度設けられているので、隣り合うリモートコントロール釦９０の間を洗浄する際には、リモートコントロール釦９０の立ち上がり部Ａを小さなブラシ等で擦りながら時間をかけて洗う必要があり、内視鏡の洗浄に時間がかかる大きな要因になっていた。
【０００６】
そこで本発明は、リモートコントロール釦の立ち上がり部に汚物が溜まり難く、汚物が溜まった場合でも容易に洗浄することができる電子内視鏡の操作部を提供することを目的とする。
【０００７】
【課題を解決するための手段】
上記の目的を達成するため、本発明の電子内視鏡の操作部は、内視鏡観察画像の映像信号の処理を行うための電子機器を遠隔操作するリモートコントロール釦が突設された電子内視鏡の操作部において、リモートコントロール釦の操作部表面からの立ち上がり部が、リモートコントロール釦の外表面と操作部の外表面とを滑らかに連続させるアール形状に全周にわたって形成されているものである。
【０００８】
なお、リモートコントロール釦の立ち上がり部が、弾力性のあるゴムカバーによって形成されていてもよい。
【０００９】
【発明の実施の形態】
図面を参照して本発明の実施例を説明する。
図３は電子内視鏡の操作部１を示しており、その下端には挿入部２が連結されている。
【００１０】
挿入部２の図示されていない先端部分には、観察像を撮像するための固体撮像素子が内蔵されており、固体撮像素子から出力されて外部に配置されているビデオプロセッサで処理された映像信号が、図示されていない公知のモニタ、静止画像記録装置及び動画記録装置等の外部電子機器に送られるようになっている。
【００１１】
また、操作部１の上半部の側面には湾曲操作レバー３が配置され、その前後面部分には、ビデオプロセッサや他の外部電子機器の遠隔操作を行うための複数のリモートコントロール釦１０が突出配置されている。４は吸引操作弁（又は送水操作弁）、５は処置具挿入口に取り付けられた鉗子栓である。
【００１２】
リモートコントロール釦１０は、観察画像をモニタ画面上で一時的に静止（フリーズ）させたり、静止画像記録装置及び動画記録装置等を遠隔操作するためのものであり、この実施例においては、操作部１の前面に３個並んで配置され、後面に１個配置されているが、その数や配列は適宜選択されるものである。
【００１３】
図１と図２は、複数のリモートコントロール釦１０のうちの１個の断面を示しており、図１はスイッチオフの待機状態、図２はスイッチオンにプッシュ操作された状態を示している。
【００１４】
操作部１の外壁１ａに形成された取付孔６にシリンダ体１１が通されて、操作部外壁１ａの内側から固定ナット１２によって固定されている。そのシリンダ体１１の奥側半部内には、タクトスイッチ１３の取り付け座１３ａが操作部外壁１ａの内側から押圧ナット１４によって押圧固定されている。１５は、タクトスイッチ１３に接続されている電線である。
【００１５】
シリンダ体１１の突端側半部内には、ピストン体１６が軸線方向に進退自在に嵌挿配置されている。ピストン体１６の突端部分はシリンダ体１１の突端より外方に突出しており、シリンダ体１１の内周面には、ピストン体１６が外方に抜け出さないようにピストン体１６の外面段部と当接する内面段部１１ａが形成されている。
【００１６】
そして、シリンダ体１１の外面とピストン体１６の外面とが、シリンダ体１１の外周面にライニング成形されたシリコンゴム又はフッ素ゴム等からなるゴムカバー１７により水密に被覆されている。
【００１７】
なお、上述のような内面段部１１ａがシリンダ体１１の内周面に形成されていることにより、シリンダ体１１へのライニング加工時に溶解状態のゴムがピストン体１６との摺接面内に流れ込まない。
【００１８】
操作部外壁１ａの表面からのリモートコントロール釦１０の立ち上がり部Ａはゴムカバー１７によって形成されており、ゴムカバー１７は、その立ち上がり部Ａがリモートコントロール釦１０の外表面と操作部外壁１ａの外表面とを滑らかに連続させるアール形状に全周にわたって形成されている。
【００１９】
その結果、リモートコントロール釦１０の立ち上がり部Ａに汚物が溜まり難く、汚物が溜まった場合でも容易に洗浄することができ、内視鏡使用後の操作部１の洗浄を短時間で行うことができる。
【００２０】
このような構成により、図１に示される待機状態においては、ピストン体１６がタクトスイッチ１３に内蔵されている戻しバネ（図示せず）によって外方に押し出されてタクトスイッチ１３がオフになっている。
【００２１】
そして、図２に示されるように、ピストン体１６をゴムカバー１７の外面から押し込むことによりタクトスイッチ１３がオンになり、その押し込み力を解除すれば図１に示される待機状態に戻る。
【００２２】
【発明の効果】
本発明によれば、内視鏡の操作部から突出するリモートコントロール釦の操作部表面からの立ち上がり部が、リモートコントロール釦の外表面と操作部の外表面とを滑らかに連続させるアール形状に全周にわたって形成したことにより、リモートコントロール釦の立ち上がり部に汚物が溜まり難く、汚物が溜まった場合でも容易に洗浄することができるので、内視鏡使用後の操作部の洗浄を短時間で確実に行うことができる。
【図面の簡単な説明】
【図１】本発明の実施例のリモートコントロール釦の待機状態の縦断面図である。
【図２】本発明の実施例のリモートコントロール釦の操作状態の縦断面図である。
【図３】本発明の実施例の内視鏡の操作部の側面図である。
【図４】従来のリモートコントロール釦の縦断面図である。
【符号の説明】
１  操作部
１ａ  操作部外壁
６  取付孔
１０  リモートコントロール釦
１１  シリンダ体
１３  タクトスイッチ
１６  ピストン体
１７  ゴムカバー
Ａ  立ち上がり部
【図１】
0004107477.tif 000002
【図２】
0004107477.tif 000003
【図３】
0004107477.tif 000004
【図４】
0004107477.tif 000005